(57)【特許請求の範囲】
【請求項１】
本体とそのカバー体からなり、内視鏡システムを構成する他の装置を上記カバー体の上面に載置する内視鏡装置筐体において、
上記の本体とカバー体を電気的に連結し、これらを接地電位に保持するためのノイズ対策用接続部材を用い、
このノイズ対策用接続部材を、上記他の装置の重さを支える支持部分が配置される位置又はその近傍の上記カバー体と上記本体の間に配置したことを特徴とするノイズ対策用接続部材を配置する内視鏡装置筐体。
【発明の詳細な説明】
【０００１】
【発明の属する技術分野】
本発明は内視鏡装置筐体、特にノイズ対策のために筐体本体とそのカバーをＥＭＩバネ等で電気的に接続するようにした内視鏡装置筐体の構成に関する。
【０００２】
【従来の技術】
例えば、電子内視鏡装置では、スコープがプロセッサ装置や光源装置に接続するように構成され、上記のプロセッサ装置の筐体には、内部から高周波ノイズが放散して周辺機器へ影響を与えることを抑制するため、板バネ部材を曲げ形成したＥＭＩ（Ｅｌｅｃｔｒｏ−Ｍａｇｎｅｔｉｃ  Ｉｎｔｅｒｆｅｒｅｎｃｅ）バネ又はガスケット等が配置される。
【０００３】
図５には、上記従来のプロセッサ装置及び光源装置が示され、例えば下側のプロセッサ装置１に光源装置２が載せられて配置される。この下側のプロセッサ装置１では、筐体本体３の上面部材（金属）３Ａとその上に被せられるカバー４との間に、上記のＥＭＩバネ５が取り付けられる。
【０００４】
このＥＭＩバネ５によれば、温度等の環境条件によって筐体本体３及びカバー４が変形して両者の間隔が多少変化したとしても電気的な接触状態が維持され、いずれかが接地されることにより接地電位に保持される。従って、プロセッサ装置１の内部回路等から発生するノイズ電流が本体３及びカバー４を介してアースへ流され、ノイズの外部への放散が抑制される。
【０００５】
【発明が解決しようとする課題】
しかしながら、上記従来の内視鏡装置筐体の構成では、図５に示されるように、カバー４が筐体本体３の側面に対し固定用ネジ６Ａ，６Ｂで固定されるため、このカバー４の上面の中心が盛り上がるように曲がる傾向にあり、この盛り上がりによってＥＭＩバネ５が上記上面部材３Ａ又はカバー４から離れ、接触不良が生じるという問題がある。
【０００６】
また、上記プロセッサ装置１ではその上に載せる光源装置２の荷重が、例えば四隅に配置された脚部７を介してカバー４の端部に与えられることになり、これによっても当該カバー４の中央部が盛り上がる。そして、このカバー４又は筐体本体３の上面部材３Ａと上記ＥＭＩバネ５が接触不良を起こせば、当然ながらこれらの部材を接地電位に保持できず、ノイズの放散効果が低下することになる。
【０００７】
本発明は上記問題点に鑑みてなされたものであり、その目的は、筐体カバーの上面中央部が盛り上がる等の筐体変形があった場合でもノイズ対策用接続部材の接触状態を良好に保ち、外部へのノイズの放散防止効果を維持することができる内視鏡装置筐体を提供することにある。
【０００８】
【課題を解決するための手段】
上記目的を達成するために、本発明は、本体とカバー体からなり、内視鏡システムを構成する他の装置を上記カバー体の上面に載置する内視鏡装置筐体において、上記の本体とカバー体を電気的に連結し、これらを接地電位に保持するためのノイズ対策用接続部材を用い、このノイズ対策用接続部材を、上記他の装置の重さを支える支持部分が配置される位置又はその近傍の上記カバー体と上記本体の間に配置したことを特徴とする。
【０００９】
上記の構成によれば、例えばカバー体の上面四隅等に上側装置の脚部（支持部分）を位置決めするための凹部が形成され、この凹部の裏面と筐体本体との間に、ＥＭＩバネが配置される。そして、上記凹部には他の装置が載せられるので、この凹部分が下側の本体から所定状態よりも浮き上がることはなく、その下側にあるＥＭＩバネとの接触不良又はこのＥＭＩバネと筐体本体との接触不良が起こることもない。
【００１０】
【発明の実施の形態】
図１乃至図４には、実施形態例に係る内視鏡装置筐体が示されており、当該例では、図１（Ａ）に示されるように、プロセッサ装置１０の上に光源装置１２を載置するように構成される。このプロセッサ装置１０には、スコープからの信号ケーブルがコネクタ１３に接続され、内部にはＣＣＤ等から送られたビデオ信号について画像処理する各種の信号処理回路が配置される。
【００１１】
また、上記光源装置１２には、スコープからのライトガイドケーブルがコネクタ１４に接続され、当該装置１２内の光源から出射された光が上記ライトガイドケーブルを介して先端部へ供給される。そして、この光源装置１２の底面部の四隅には、装置全体の重さを支持するための脚部（支持部分）１５が取り付けられる。
【００１２】
図１（Ｂ）には、上記プロセッサ装置１０の筐体本体部分が示されており、このプロセッサ装置１０は、この本体１６と図３等に示されるカバー１７で構成される。この本体１６は、図２に示されるように、前面板から上面側に突出する台１９が形成され（後面板においても同様）、この台１９に図示されるＥＭＩバネ２０が載置される。なお、このＥＭＩバネ２０の代りにガスケット（導電性部材）を用いることもできる。
【００１３】
また、他方のカバー１７は、図３に示されるように、従来と同様に上面と両側面から構成されており、側面部を固定ネジ２２で本体１６に固定するようになっている。そして、このカバー１７の上面では、その四隅に上記光源装置１２の脚部１５を位置決めするための円形状凹部２４が形成される。
【００１４】
このような構成において、図１及び図４に示されるように、上記ＥＭＩバネ２０は、本体１６の台１９の上で上述したカバー１７の凹部２４の下側に配置される。このＥＭＩバネ２０は、図４に示されるように、平板底面に対し上側がアーチ状となるような形状に板バネを折り曲げ形成したもので、底面部を接着剤等によって台１９の上に接着することになる。
【００１５】
以上説明したように、当該例によれば、光源装置１２の重さがその脚部１５を介してプロセッサ装置１０のカバー１７の凹部２４及びその周辺にかかることになり、この部分は本体１６から離れ難くなる。従って、図４に示されるように、ＥＭＩバネ２０はカバー１７（凹部２４）の裏面又は本体１６の台１９にしっかりと接触し、この状態を維持できることになる。
【００１６】
なお、上記例では、カバー１７の四隅に凹部２４を設けたが、この凹部２４を設けなくてもよく、またＥＭＩバネ２０の配置場所は、上記脚部１５の真下だけではなく、その近傍でもよいことになる。更には、上記の各装置の上下関係が逆になる場合でもよく、これらの装置としては内視鏡システムで用いられる全ての装置が対象となる。
【００１７】
【発明の効果】
以上説明したように、本発明によれば、二つの装置を重ねて配置する下側装置において、筐体本体とカバー体を電気的に連結しこれらを接地電位に保持するためのノイズ対策用接続部材を用いる場合に、このノイズ対策用接続部材を、上側装置の重さを支える部分が配置される位置又はその近傍に配置したので、筐体カバーの上面中央部が盛り上がる等の筐体変形があった場合でも、ノイズ対策用接続部材の接触状態が良好に保たれ、外部へのノイズの放散防止効果の低下が防止される。
【図面の簡単な説明】
【図１】本発明の実施形態例に係る内視鏡装置［（図Ａ）］及び筐体本体［（図Ｂ）］の構成を示す図である。
【図２】図１の本体の前面板及び後面板の構造を示す斜視図である。
【図３】図１のプロセッサ装置の外側の構成を示す斜視図である。
【図４】プロセッサ装置の四隅におけるＥＭＩバネの配置状態を示す断面図である。
【図５】従来における内視鏡装置筐体の構成を示す図である。
【符号の説明】
１，１０  …  プロセッサ装置、
２，１２  …  光源装置、
３，１６  …  本体、
４，１７  …  カバー、
５，２０  …  ＥＭＩバネ、
７，１５  …  脚部、
１９  …  台、
２４  …  凹部。
【図１】
0003581785.tif 000002
【図２】
0003581785.tif 000003
【図３】
0003581785.tif 000004
【図４】
0003581785.tif 000005
【図５】
0003581785.tif 000006